(57)【要約】【課題】長さを測定しようとする長尺材の上に載せて使用し、簡単な操作で長尺材の測定位置に印を付けることが可能な長尺材の採寸印付け装置を提供する。【解決手段】長さを測定しようとする長尺材１２の上に載せるケーシング１１と、ケーシング１１の底から少なくとも一部突出して、長尺材１２の測定方向に転動可能なローラ１３と、ケーシング１１内に配置されてローラ１３の転動距離をデジタルで表示する距離表示カウンター１４と、ケーシング１１の一側に配置されて長尺材１２の上に測定方向に対して直交する印線を記載する印線機構１５と、ケーシング１１に取付けられて、押圧することによって、距離表示カウンター１４をリセットし、長尺材１２の上に印線を記載する印線機構１５を作動させるリセット手段１６とを有する。【選択図】図１
0003134545.tif 000002
【実用新案登録請求の範囲】
【請求項１】
長さを測定しようとする長尺材の上に載せるケーシングと、
前記ケーシングの底から少なくとも一部突出して、前記長尺材の測定方向に転動可能なローラと、
前記ケーシング内に配置されて前記ローラの転動距離をデジタルで表示する距離表示カウンターと、
前記ケーシングの一側に配置されて、前記長尺材の上に測定方向に対して直交する印線を記載する印線機構と、
前記ケーシングに取付けられて、押圧することによって、前記距離表示カウンターをリセットし、前記長尺材の上に印線を記載する前記印線機構を作動させるリセット手段とを有することを特徴とする長尺材の採寸印付け装置。
【請求項２】
請求項１記載の長尺材の採寸印付け装置において、前記ケーシングの下部には、前記長尺材の形状に合うアタッチメントが設けられ、該アタッチメントの下側が前記ケーシングの底を形成していることを特徴とする長尺材の採寸印付け装置。
【請求項３】
請求項１又は２記載の長尺材の採寸印付け装置において、前記ケーシングの底は円弧状に形成されて、この円弧状の底に前記長尺材からなるパイプの上部が嵌入することを特徴とする長尺材の採寸印付け装置。
【請求項４】
請求項１〜３のいずれか１項に記載の長尺材の採寸印付け装置において、前記ローラと前記距離表示カウンターとは変速機構を介して連結されていることを特徴とする長尺材の採寸印付け装置。
【請求項５】
請求項１〜４のいずれか１項に記載の長尺材の採寸印付け装置において、前記印線機構は、一端が前記ケーシングに直接又は間接的に固定され、他端は前記リセット手段を押し下げることによって下降する昇降部材の下端部に取付けられている糸状物と、前記昇降部材が上昇する位置で前記糸状物にインクを含浸させる下向き配置されたインク収納部とを有していることを特徴とする長尺材の採寸印付け装置。
【考案の詳細な説明】
【技術分野】
【０００１】
本考案は、長尺材（例えば、断面円形の管、角パイプ、形鋼、ライトゲージ）の寸法を測定し、所定の距離位置に印を付ける長尺材の採寸印付け装置に関する。
【背景技術】
【０００２】
管材の裁断作業では採寸が不可欠であり、一般的に巻き尺を使用し、油性インク等をフェルトに染み込ませたマジックインク（商標名）等の筆記具で印を付けている。しかしながら、この筆記具のポケットからの出し入れ、キャップの着脱等は面倒である。また、この筆記具を使用して、最初の印に巻き尺の先端を正確に合わせて採寸し次の位置に印を付けることとなるが、最初の位置がずれると次の寸法位置はずれてしまうという問題がある。
そこで、測定対象物の上にローラを転がして測長することも昔から行われており、例えば、特許文献１又は２にもその応用例が示されている。
【０００３】
【特許文献１】実開平２−１５０５１１号公報
【特許文献２】特開平５−２６４２６１号公報
【考案の開示】
【考案が解決しようとする課題】
【０００４】
しかしながら、管材の裁断作業にあっては、ローラを転がしてその回転数から距離を測定しても、その測定位置に印を付ける必要があり、上記のような筆記具を使用するとキャップを付けたり外したりする動作や、ポケットから出し入れするという動作は行わねばならず、基本的な問題は解決していない。
【０００５】
本考案はかかる事情に鑑みてなされたもので、長さを測定しようとする長尺材の上に載せて使用し、簡単な操作で長尺材の測定位置に印を付けることが可能な長尺材の採寸印付け装置を提供することを目的とする。
【課題を解決するための手段】
【０００６】
前記目的に沿う第１の考案に係る長尺材の採寸印付け装置は、長さを測定しようとする長尺材の上に載せるケーシングと、
前記ケーシングの底から少なくとも一部突出して、前記長尺材の測定方向に転動可能なローラと、
前記ケーシング内に配置されて前記ローラの転動距離をデジタルで表示する距離表示カウンターと、
前記ケーシングの一側に配置されて、前記長尺材の上に測定方向に対して直交する印線を記載する印線機構と、
前記ケーシングに取付けられて、押圧することによって、前記距離表示カウンターをリセットし、前記長尺材の上に印線を記載する前記印線機構を作動させるリセット手段とを有する。
【０００７】
第２の考案に係る長尺材の採寸印付け装置は、第１の考案に係る長尺材の採寸印付け装置において、前記ケーシングの下部には、前記長尺材の形状に合うアタッチメントが設けられ、該アタッチメントの下側が前記ケーシングの底を形成している。
【０００８】
第３の考案に係る長尺材の採寸印付け装置は、第１及び第２の考案に係る長尺材の採寸印付け装置において、前記ケーシングの底は円弧状（単に測定方向前後にある側壁が円弧状に形成されている他、底部の全部又は一部に円弧状面が形成されている場合を含む）に形成されて、この円弧状の底に前記長尺材からなるパイプの上部が嵌入する。
【０００９】
第４の考案に係る長尺材の採寸印付け装置は、第１〜第３の長尺材の採寸印付け装置において、前記ローラと前記距離表示カウンターとは変速機構を介して連結されている。
【００１０】
そして、第５の考案に係る長尺材の採寸印付け装置は、第１〜第４の長尺材の採寸印付け装置において、前記印線機構は、一端が前記ケーシングに直接又は間接的に固定され、他端は前記リセット手段を押し下げることによって下降する昇降部材の下端部に取付けられている糸状物と、前記昇降部材が上昇する位置で前記糸状物にインクを含浸させる下向き配置されたインク収納部とを有している。
【考案の効果】
【００１１】
請求項１〜５記載の長尺材の採寸印付け装置は、長さを測定しようとする長尺材の上に載せるケーシングと、ケーシングの底から少なくとも一部突出して、長尺材の測定方向に転動可能なローラと、ケーシング内に配置されてローラの転動距離をデジタルで表示する距離表示カウンターと、ケーシングの一側に配置されて、長尺材の上に測定方向に対して直交する印線を記載する印線機構と、ケーシングに取付けられて、押圧することによって、距離表示カウンターをリセットし、長尺材の上に印線を記載する印線機構を作動させるリセット手段とを有しているので、この長尺材の採寸印付け装置を測定物である長尺材の上に置いて、リセット手段を操作すると、距離表示カウンターがリセットされて、印線機構が作動して、長尺材の上に印が付される。そして、この長尺材の採寸印付け装置を長尺材に沿って移動させると、ローラが回り、距離表示カウンターにデジタルでその移動距離が表示されるので、所定距離となったところで、再度リセット手段を作動させると、印線機構が作動し印が記載される。従って、簡便な操作で距離を測定し、その位置に印を付けることができる。
特に、リセット手段の操作によって距離表示カウンターと印線機構が駆動するので、長さの測定と印を付けることの連繋が取られる。
【００１２】
特に、請求項２記載の長尺材の採寸印付け装置においては、ケーシングの下部には、長尺材の形状に合うアタッチメントが設けられ、アタッチメントの下側がケーシングの底を形成しているので、ケーシングの底部を長尺材の種類に応じて適正なものとすることができる。
【００１３】
請求項３記載の長尺材の採寸印付け装置においては、ケーシングの底は円弧状に形成されて、この円弧状の底に長尺材からなるパイプの上部が嵌入するので、パイプの中心位置に長尺材の採寸印付け装置を載せることができる。
【００１４】
請求項４記載の長尺材の採寸印付け装置においては、ローラと距離表示カウンターとは変速機構を介して連結されているので動作が確実であり、電力が不要で正確な距離を測定できる。
【００１５】
そして、請求項５記載の長尺材の採寸印付け装置においては、印線機構は、一端がケーシングに直接又は間接的に固定され、他端はリセット手段を押し下げることによって下降する昇降部材の下端部に取付けられている糸状物と、昇降部材が上昇する位置で糸状物にインクを含浸させる下向き配置されたインク収納部とを有しているので、長尺材の測定方向に直交する方向に印線を記すことができる。
【考案を実施するための最良の形態】
【００１６】
続いて、添付した図面を参照しつつ、本考案を具体化した実施の形態につき説明し、本考案の理解に供する。
ここで、図１は本考案の一実施の形態に係る長尺材の採寸印付け装置の内部構造を示す側面図、図２、図３は同長尺材の採寸印付け装置の正断面図、図４は同長尺材の採寸印付け装置の概略斜視図である。なお、図２、図３ではケーシングの厚みを記載しているが、図１、図４ではケーシングの厚みは省略されている。
【００１７】
図１〜図４に示すように、本考案の一実施の形態に係る長尺材の採寸印付け装置１０は、金属、プラスチック、又は木からなるケーシング１１と、ケーシング１１の底から少なくとも一部突出して、測定対象物である長尺材の一例であるパイプ１２の測定方向に転動可能なローラ１３と、ケーシング１１内に配置されてローラ１３の転動距離をデジタルで表示する距離表示カウンター１４と、ケーシング１１の一側に配置されて、パイプ１２の上に測定方向に対して直交する印線を記載する印線機構１５と、ケーシング１１に取付けられて、押圧することによって、距離表示カウンター１４をリセットし、印線機構１５を作動させてパイプ１２の上に印線を記載するリセット手段１６とを有している。以下、これらについて詳しく説明する。
【００１８】
ケーシング１１はこの実施の形態では透明の硬質プラスチックからなって内部が視認できるのが好ましいが、アルミニウム、ステンレス、真鍮、鉄等から構成されていてもよい。ケーシング１１の幅は、この実施の形態では２０〜５０ｍｍ、長さは３０〜８０ｍｍの範囲にあるが、測定対象物によってその寸法は異なる。ケーシング１１の前側には把手１７が設けられ、ケーシング１１を手で操作し易くなっている。図２、図３に示すように、パイプ１２の上端に接するケーシング１１の底は円弧状面（即ち、断面円弧状）となって、パイプ１２の中心にこの長尺材の採寸印付け装置１０の測定中心が載るようになっている。
【００１９】
ケーシング１１の底部には軸受１８、１９によって回転自由に支持されている第１軸２０を介してローラ１３が配置され、このローラ１３の一部はケーシング１１の底部の円弧状面から突出している。従って、長尺材の採寸印付け装置１０を載せたパイプ１２の上に、必ずこのローラ１３が載ることになる。
第１軸２０の端部には図示しないベベルギア機構が取付けられ、円弧状面を跨がって配置された第１軸２０の回転方向と直交する方向（即ち、測定方向）に軸受２１、２２を介して配置された第２軸２３に回転を伝えるようになっている。
【００２０】
第２軸２３には第１の大プーリ２４が設けられて、第１ベルト２５を介して第３軸２６に設けられた第１の小プーリ２７に回転動力を伝えている。そして、第３軸２６に設けられた第２の大プーリ２８から第２ベルト２９を介して第４軸２９ａに設けられた第２の小プーリ３０に回転動力を伝えている。また、第４軸２９ａに設けられた第３の大プーリ３１から第３ベルト３２を介して距離表示カウンター１４の入力軸３３に設けられた第３の小プーリ３４に回転力を伝えている。なお、第３軸２６及び第４軸２９ａは図示しない軸受を介してケーシング１１に回転自在に固定されている。
【００２１】
以上に示す変速機構によって、ローラ１３の回転は例えば、３６０倍に増速されて距離表示カウンター１４の入力軸３３に伝わるようになっている。一方、ローラ１３の円周は３６ｍｍとなって、ローラ１３が１度回転すると、０．１ｍｍだけこの長尺材の採寸印付け装置１０がパイプ１２の上を走行するようなって、距離表示カウンター１４の入力軸３３が一回転し、０．１ｍｍの距離を示すようになっている。従って、ローラ１３が一回転すると、入力軸３３は３６０回転し、３６ｍｍの距離を示すことになる。
なお、本考案はこの数字の組合せに限定されるものではなく、ローラ１３の直径、ローラ１３から距離表示カウンター１４の入力軸３３の変速比を変えることによって、他の組合せとすることもできる。
【００２２】
次に、この距離表示カウンター１４をリセットし、パイプ１２の上に測定方向とは直交する印線を印字する印線機構１５を作動させるリセット手段１６について説明する。
リセット手段１６は、ケーシング１１の上に左右対となる支点３６を介して回動自在に設けられている把手３７を有している。支点３６はケーシング１１に取付けられ、その上部が把手３７の中間部を首振り可能に支持している。なお、支点３６の代わりに軸受であってもよい。
【００２３】
支点３６を起点として把手３７の後ろ側は通常状態では水平を保持する水平部３８を有し、支点３６を起点として前側は斜めになった傾斜部３９を有している。把手３７にはストッパー４０が設けられて傾斜部３９に荷重がない場合にはこの状態（図１）を保持している。把手３７は平面視して枠状となって、前側に左右の部材を連結する連結部３７ａが設けられ、この連結部３７ａによって距離表示カウンター１４のリセットボタン４１を押圧可能となっている。
【００２４】
一方、水平部３８の後ろ側には、図２に示すように、垂直バー４２の上部が首振り可能（遊嵌）に連結されている。垂直バー４２の上端には拡幅部４３が設けられ、水平部３８に垂直バー４２が掛合し、水平部３８が上昇した場合、垂直バー４２と共に上昇するようになっている。垂直バー４２の下部には第５軸４４を中心にして回動可能に配置されたリンクバー４４ａの一側がピン４５を介して回動可能に連結されている。このリングバー４４ａの他側にはピン４６を介して昇降部材の一例である垂直ロッド４７の上端が取付けられている。
【００２５】
この垂直ロッド４７の下端には印線機構１５の糸状物４８の一端が連結されている。糸状物４８の他端はケーシング１１に支持部材４８ａを介して固定され、糸状物４８の途中には倒立したインク収納部の一例であるインク壺（墨壺）４９が設けられ、垂直ロッド４７が上昇している通常の状態では、インク壺４９に糸状物４８の中間部がインク壺４９の底に設けられた割れ目から嵌入するようになっている。インク壺４９内には蒸発しにくいインクを十分に滲み込ませた柔軟部材（例えば、綿、繊維、スポンジ状物）５１が落下しないように配置されている。そして、垂直ロッド４７を下げると、糸状物４８がパイプ１２の上を当接して跨ぎ、パイプ１２に印線を付けるようになっている。
【００２６】
なお、糸状物４８は十分に強度を有し、支持部材４８ａの部分で引っ張られた状態で取付けられている。また、垂直ロッド４７はケーシング１１の中間位置に設けられた支持部材５３を隙間を有して挿通し左右の振れを無くしている。なお、図２において、支持部材５３は一部しか示されていない。
【００２７】
この長尺材の採寸印付け装置１０を使用する場合には、測定対象物であるパイプ１２の上にこの長尺材の採寸印付け装置１０を載せて、リセット手段１６の操作部である把手３７の傾斜部３９を押すと、距離表示カウンター１４がリセットして「０」を示す。これと同時に垂直バー４２が上昇し、リンクバー４４ａを回動させて、垂直ロッド４７を押し下げる。この垂直ロッド４７の下降に伴い糸状物４８が下がってパイプ１２の上に載り、印線を付け、この位置が基準位置となる。
【００２８】
次に、長尺材の採寸印付け装置１０をパイプ１２に沿って前方向に移動させる。これによってローラ１３が回転し、距離表示カウンター１４に走行長が表示される。所定の長さのところで、長尺材の採寸印付け装置１０を止めて、把手３７の傾斜部３９を押すと、リセット手段１６によって距離表示カウンター１４がリセットされて、パイプ１２の上に印線が記載される。以下、同様な作業を繰り返して、パイプ１２の必要長さの印線を連続的かつ自動的に形成できる。
【００２９】
前記実施の形態に係る長尺材の採寸印付け装置１０においては、ケーシング１１の測定方向両側の前後の壁の下端を円弧状に切り欠いて、ケーシング１１の底に円弧状面を形成したが、ケーシング１１をケーシング本体と底部のアタッチメントによって構成し、アタッチメントを取り替えることによって、種々の大きさのパイプ又は角材（チャンネル、アングル、角パイプ等）に対応させることもできる。アタッチメントは嵌め込み式でもねじ止め式であってもよい。
【００３０】
前記実施の形態においては、ローラ１３の回転を変速機構を介して機械的に距離表示カウンター１４に伝えているが、ローラ１３の回転をロータリエンコーダによって電気的に検出して、距離表示カウンターに電子式カウンターを使用することもでき、この場合も本考案は適用される。
また、この実施の形態では印線機構１５は、インクを滲みさせた糸状物４８を使用したが、ボールペン又は万年筆と同様にインクを溜める部分を有して、対象物である長尺物の上を測定方向とは直交するようにペン先が動いて線を記載するものであってもよいし、場合によっては、測定方向に細幅のスタンプであってもよい。
また、前記実施の形態においては、長尺材は断面円形のパイプであったが、角パイプや、アングル、チャンネル等の形材（形鋼）であってもよい。
【図面の簡単な説明】
【００３１】
【図１】本考案の一実施の形態に係る長尺材の採寸印付け装置の内部構造を示す側面図である。
【図２】同長尺材の採寸印付け装置の正断面図である。
【図３】同長尺材の採寸印付け装置の正断面図である。
【図４】同長尺材の採寸印付け装置の概略斜視図である。
【符号の説明】
【００３２】
１０：長尺材の採寸印付け装置、１１：ケーシング、１２：パイプ、１３：ローラ、１４：距離表示カウンター、１５：印線機構、１６：リセット手段、１７：把手、１８、１９：軸受、２０：第１軸、２１、２２：軸受、２３：第２軸、２４：第１の大プーリ、２５：第１ベルト、２６：第３軸、２７：第１の小プーリ、２８：第２の大プーリ、２９：第２ベルト、２９ａ：第４軸、３０：第２の小プーリ、３１：第３の大プーリ、３２：第３ベルト、３３：入力軸、３４：第３の小プーリ、３６：支点、３７：把手、３７ａ：連結部、３８：水平部、３９：傾斜部、４０：ストッパー、４１：リセットボタン、４２：垂直バー、４３：拡幅部、４４：第５軸、４４ａ：リンクバー、４５、４６：ピン、４７：垂直ロッド、４８：糸状物、４８ａ：支持部材、４９：インク壺、５１：柔軟部材、５３：支持部材
【図１】
0003134545.tif 000003
【図２】
0003134545.tif 000004
【図３】
0003134545.tif 000005
【図４】
0003134545.tif 000006